(57)【要約】【課題】利用者にとって違和感の少ない非常灯機能を備えた警報器を提供する。【解決手段】警報器１は、外部電源１００から供給された電力を供給する電源部１０と、電力を供給可能な予備電源部１１と、電力の供給を受けて点灯する白色ＬＥＤ４Ｗと、外部電源１００からの電力供給が遮断されたことを検知する停電検知部１２と、停電検知部１２により外部電源１００からの電力供給の遮断が検知された場合に、予備電源部１１からの電力により白色ＬＥＤ４Ｗを点灯させることにより、非常灯機能を動作させる停電処理部３Ｃと、を有している。この場合、停電処理部３Ｃは、停電検知部１２により外部電源１００からの電力供給の遮断が検知された後に、非常灯機能の情報を報知する。【選択図】図１
2018181327.tif 000002
【特許請求の範囲】
【請求項１】
監視センサからの信号に基づいて監視領域内に異常状態が発生していると判断した場合に警報を発する警報器において、
外部電源から供給された電力を供給する電源部と、
電力を供給可能な予備電源部と、
電力の供給を受けて点灯する発光部と、
前記外部電源からの電力供給が遮断されたことを検知する停電検知部と、
前記停電検知部により前記外部電源からの電力供給の遮断が検知された場合に、前記予備電源部からの電力により当該発光部を点灯させることにより、非常灯機能を動作させる停電処理部と、を有し、
前記停電処理部は、前記停電検知部により前記外部電源からの電力供給の遮断が検知された後に、非常灯機能の情報を報知する
警報器。
【請求項２】
前記停電処理部は、前記停電検知部により前記外部電源からの電力供給の遮断が検知された際に、非常灯機能の情報を報知する
請求項１記載の警報器。
【請求項３】
前記停電処理部は、前記予備電源部からの電力により当該発光部を点灯させる際に、非常灯機能の情報を報知する
請求項１記載の警報器。
【請求項４】
前記外部電源からの電力供給が遮断された場合、前記予備電源部からの電力は、前記監視センサに対して供給されておらず、
前記停電処理部は、前記監視センサによる異常検知が無効であることをさらに報知する請求項１から３のいずれか記載の警報器。
【請求項５】
前記停電処理部は、前記停電検知部により前記外部電源からの電力供給の復旧が検知された場合、前記外部電源からの電力供給が復旧したことを報知する
請求項１から４のいずれか記載の警報器。
【請求項６】
前記停電処理部は、前記予備電源部の電圧が、電圧の低下を判断するための下限判定電圧に到達した場合、前記発光部の消灯が近いことを報知する
請求項１から５のいずれか記載の警報器。
【請求項７】
前記発光部は、点灯時の明るさが複数の明るさレベルのなかで切り替え可能に構成されており、
前記停電処理部は、警報器を操作するためのスイッチが操作された場合に、前記予備電源部からの電力により点灯する前記発光部の明るさレベルを切り替える
請求項１から６のいずれか記載の警報器。
【請求項８】
前記停電処理部は、前記予備電源部からの電力により前記発光部を初期的に点灯させる場合に、切り替え可能な明るさレベルのうち、最高の明るさレベルで点灯を行う
請求項７記載の警報器。
【請求項９】
警報器の周囲の明るさを検出する照度センサをさらに有し、
前記停電処理部は、前記外部電源からの電力供給が遮断され、かつ、前記照度センサの検出結果に応じて周囲が暗いと判断した場合に、前記予備電源部からの電力により前記発光部を点灯させる
請求項１から８のいずれか記載の警報器。
【請求項１０】
前記監視センサは、前記予備電源部からの電力供給により一定期間に亘って駆動可能な低消費電力型のセンサであり、
前記外部電源からの電力供給が遮断された場合、前記予備電源部からの電力は、前記監視センサに対しても供給される
請求項１から３のいずれか記載の警報器。
【請求項１１】
前記停電処理部は、電源投入に伴い実施される初期点検に併せて、前記予備電源部が電池切れであるか否かを判断し、当該予備電源部が電池切れの場合には電池切れを報知する
請求項１から９のいずれか記載の警報器。
【請求項１２】
前記停電処理部は、前記監視センサによる異常検知が有効である場合において、警報器を操作するスイッチが操作されることで実施される機能点検に併せて、前記予備電源部が電池切れであるか否かを判断し、当該予備電源部が電池切れの場合には電池切れを報知する
請求項１から９及び１１のいずれか記載の警報器。
【請求項１３】
監視センサからの信号に基づいて監視領域内に異常状態が発生していると判断した場合に警報を発する警報器において、
発光部と、
前記監視センサによる異常検知が有効である場合に前記発光部を点灯させ、前記監視センサによる異常検知が無効である場合に前記発光部を消灯させる点灯処理部と、を有する
警報器。
【発明の詳細な説明】
【技術分野】
【０００１】
本発明は、警報器に関する。
【背景技術】
【０００２】
例えば特許文献１には、停電時に非常照明となる非常灯機能付きの火災報知器が開示されている。この火災報知器は、内部電源部と、非常照明部と、商用電源に接続されて各部に電源供給するための線路電源部と、線路電源部の電圧を監視して電圧が基準電圧以下となるときに内部電源を非常照明部に供給する照明制御部と、を備えている。
【０００３】
なお、例えば特許文献２には、メイン電源及びバックアップ電源を備えた警報器において、メイン電源に代えてバックアップ電源を動力源とする場合に、消費電力の大きいガス漏れ検知手段に電力を供給しない技術が開示されている。また、例えば特許文献３には、バッテリを接続するバッテリ端子部を備えたガス漏れ警報器において、停電時にバッテリ駆動に切り替わる技術が開示されている。また、バッテリ消耗時に、ガス漏れとは別の音声出力と表示とを行うことで、ガス使用者へガス漏れ警報器のコンセント抜けを知らせる技術が開示されている。
【０００４】
さらに、例えば特許文献４には、長寿命のバックアップ用電池と通常使用する主電源用電池とを備えるガス警報器において、主電源用電池からバックアップ用電池へと切り替わった時に、音声等で電池交換のメッセージを出す技術が開示されている。また、特許文献５には、電池式警報器において、電圧監視手段によって監視された電池の電圧が所定の電圧以下に低下している場合に、確認要求受付手段によって利用者から確認要求を受け付けると、電池の交換を促す内容を含んだ音声メッセージを出力する技術が開示されている。また、特許文献６には、蓄電池の充電不足や機能低下時に、補助電源により表示灯を点滅させると同時に、警報を発することにより蓄電池の異常を知らせ、蓄電池の交換又は点検を促進させる技術が開示されている。
【先行技術文献】
【特許文献】
【０００５】
【特許文献１】特開２００５−２９３３０８号公報
【特許文献２】特開２００５−１０８１０９号公報
【特許文献３】実開平５−７９６９５号公報
【特許文献４】特開２０００−２２２６５５号公報
【特許文献５】特許第３８９５６４６号公報
【特許文献６】実開平５−８８１６０号公報
【発明の概要】
【発明が解決しようとする課題】
【０００６】
しかしながら、一般の利用者は、警報器に関して、異常発生時の警報発生といった基本的な機能については把握しているものの、全ての機能については熟知していないことが専らである。そのため、外部電源からの電力供給が遮断された後に、警報器の非常灯が点灯した場合であっても、なぜ警報器が点灯しているのか分からず、利用者が違和感を覚えることがある。
【０００７】
本発明はかかる事情に鑑みてなされたものであり、その目的は、利用者にとって違和感の少ない非常灯機能を備えた警報器を提供することである。
【課題を解決するための手段】
【０００８】
かかる課題を解決するために、本発明は、監視センサからの信号に基づいて監視領域内に異常状態が発生していると判断した場合に警報を発する警報器を提供する。この警報器は、外部電源から供給された電力を供給する電源部と、電力を供給可能な予備電源部と、電力の供給を受けて点灯する発光部と、外部電源からの電力供給が遮断されたことを検知する停電検知部と、停電検知部により外部電源からの電力供給の遮断が検知された場合に、予備電源部からの電力により当該発光部を点灯させることにより、非常灯機能を動作させる停電処理部と、を有している。この場合、停電処理部は、停電検知部により外部電源からの電力供給の遮断が検知された後に、非常灯機能の情報を報知する。
【０００９】
ここで、本発明において、停電処理部は、停電検知部により外部電源からの電力供給の遮断が検知された際に、非常灯機能の情報を報知することが好ましい。
【００１０】
また、本発明において、停電処理部は、予備電源部からの電力により当該発光部を点灯させる際に、非常灯機能の情報を報知することが好ましい。
【００１１】
また、本発明において、外部電源からの電力供給が遮断された場合、予備電源部からの電力は、監視センサに対して供給されておらず、停電処理部は、監視センサによる異常検知が無効であることをさらに報知することが好ましい。
【００１２】
また、本発明において、停電処理部は、停電検知部により外部電源からの電力供給の復旧が検知された場合、外部電源からの電力供給が復旧したことを報知することが好ましい。
【００１３】
また、本発明において、停電処理部は、予備電源部の電圧が、電圧の低下を判断するための下限判定電圧に到達した場合、発光部の消灯が近いことを報知することが好ましい。
【００１４】
また、本発明において、発光部は、点灯時の明るさが複数の明るさレベルのなかで切り替え可能に構成されていてもよい。この場合、停電処理部は、警報器を操作するためのスイッチが操作された場合に、予備電源部からの電力により点灯する発光部の明るさレベルを切り替えることが好ましい。
【００１５】
また、本発明において、停電処理部は、予備電源部からの電力により発光部を点灯させる場合に、切り替え可能な明るさレベルのうち、最高の明るさレベルで点灯を行うことが好ましい。
【００１６】
また、本発明は、警報器の周囲の明るさを検出する照度センサをさらに有することが好ましい。この場合、停電処理部は、外部電源からの電力供給が遮断され、かつ、照度センサの検出結果に応じて周囲が暗いと判断した場合に、予備電源部からの電力により当該発光部を点灯させることが好ましい。
【００１７】
また、本発明において、監視センサは、予備電源部からの電力供給により一定期間に亘って駆動可能な低消費電力型のセンサであり、外部電源からの電力供給が遮断された場合、予備電源部からの電力は、監視センサに対しても供給されることが好ましい。
【００１８】
また、本発明において、停電処理部は、電源投入に伴い実施される初期点検に併せて、予備電源部が電池切れであるか否かを判断し、当該予備電源部が電池切れの場合には電池切れを報知することが好ましい。
【００１９】
また、本発明において、停電処理部は、監視センサによる異常検知が有効である場合において、警報器を操作するスイッチが操作されることで実施される機能点検に併せて、予備電源部が電池切れであるか否かを判断し、当該予備電源部が電池切れの場合には電池切れを報知することが好ましい。
【００２０】
また、本発明は、監視センサからの信号に基づいて監視領域内に異常状態が発生していると判断した場合に警報を発する警報器を提供する。この警報器は、発光部と、監視センサによる異常検知が有効である場合に発光部を点灯させ、監視センサによる異常検知が無効である場合に発光部を消灯させる点灯処理部と、を有している。
【発明の効果】
【００２１】
本発明によれば、警報器を非常灯として点灯させることができ、かつ警報器の点灯と非常灯機能とを結び付けることができるので、なぜ警報器が点灯したのかを利用者が把握することができる。そのため、利用者にとって違和感の少ない非常灯機能を備えた警報器を提供することができる。
【図面の簡単な説明】
【００２２】
【図１】第１の実施形態に係る警報器の構成を模式的に示すブロック図
【図２】第１の実施形態に係る警報器の構成を模式的に示す正面図
【図３】第１の実施形態に係る警報器の構成を模式的に示す側面図
【図４】第１の実施形態に係る警報器の非常灯機能について説明する説明図
【図５】第２の実施形態に係る警報器の構成を模式的に示すブロック図
【図６】第２の実施形態に係る停電処理部の動作を示すフローチャート
【図７】第３の実施形態に係る停電処理部の動作を示すフローチャート
【発明を実施するための形態】
【００２３】
（第１の実施形態）
図１は、本実施形態に係る警報器１の構成を模式的に示すブロック図である。また、図２は、本実施形態に係る警報器１の構成を模式的に示す正面図であり、図３は、本実施形態に係る警報器１の構成を模式的に示す側面図である。本実施形態にかかる警報器１は、監視センサからの信号に基づいて監視領域内に異常状態が発生していると判断した場合に警報を発するものである。本実施形態に係る警報器１は、ＬＰガス向けや都市ガス向けのガス警報器であり、例えば室内の壁面Ｗ等に設置される。
【００２４】
警報器１は、ガスセンサ２と、ガスセンサ２からの検出結果が供給されるマイクロコンピュータ（以下マイコン）３と、を備えている。また、警報器１は、複数のＬＥＤ４と、スピーカ５と、複数のＬＥＤ４を駆動するためのＬＥＤ駆動部６と、スピーカ５を駆動するためのスピーカ駆動部７と、警報器１を操作するためのスイッチ８と、を備えている。
【００２５】
ガスセンサ２は、ガスを検出するセンサであり、例えば接触燃焼式ガスセンサである。ガスセンサ２は、雰囲気中に含まれるガスの濃度を検出し、その濃度に応じた検出信号をマイコン３に出力する。なお、ガスセンサ２としては、半導体ガスセンサ等の周知のガスセンサを用いることもできる。
【００２６】
マイコン３は、ＣＰＵ、ＲＯＭ、ＲＡＭ、Ｉ／Ｏインターフェースを主体に構成されたマイクロコンピュータである。マイコン３は、これを機能的に捉えた場合、検出処理部３Ａと、警報処理部３Ｂと、停電処理部３Ｃとを備えている（停電処理部３Ｃについては後述する）。
【００２７】
検出処理部３Ａには、ガスセンサ２の検出結果が供給されている。検出処理部３Ａは、ガスセンサ２の検出結果からガス漏れを検知する。
【００２８】
警報処理部３Ｂは、ＬＥＤ駆動部６及びスピーカ駆動部７を制御する。警報処理部３Ｂは、検出処理部３Ａによりガス漏れが検知されると、ＬＥＤ駆動部６を制御して、ＬＥＤ４を点灯（点灯と消灯とを繰り返す点滅等も含む）する。このＬＥＤ４の点灯は、ガス漏れを周囲に報知する表示警報に対応する。また、警報処理部３Ｂは、検出処理部３Ａによりガス漏れが検知されると、スピーカ駆動部７を制御して、スピーカ５から音又は音声を出力する。このスピーカ５の動作は、ガス漏れを周囲に報知する音声警報に対応する。
【００２９】
複数のＬＥＤ４は、電力の供給を受けて点灯し、警報器１からその周囲に光を発する発光部であり、主として表示警報を行うためのものである。複数のＬＥＤ４は、例えば赤、緑、白を含む３種類のＬＥＤ４Ｒ，４Ｇ，４Ｗから構成されている。複数のＬＥＤ４Ｒ，４Ｇ，４Ｗのうち赤色ＬＥＤ４Ｒは、表示警報を発生する場合に点灯される。また、緑色ＬＥＤ４Ｇは、外部電源１００から電力が供給されている場合に、警報器１の通電状態を報知するために点灯される。一方、白色ＬＥＤ４Ｗは、外部電源１００からの電力供給が遮断された場合に、警報器１の周囲を照明する非常灯として点灯される。白色ＬＥＤ４Ｗは、周囲を明るく照明する必要があることから、複数設けてもよい。あるいは、高輝度タイプの素子（ＬＥＤ）を一つ設けてもよい。
【００３０】
さらに、警報器１は、差込プラグ９と、電源部１０と、予備電源部１１と、停電検知部１２と、照度センサ１３と、を有している。
【００３１】
差込プラグ９は、外部電源１００、例えば商用交流電源と、警報器１との電気的な接続を行うものである。差込プラグ９は、壁面Ｗに設置されて外部電源１００と電気的に接続されたプラグ受け１０１に対して挿抜可能とされている。
【００３２】
電源部１０は、差込プラグ９を介して外部電源１００に接続される。電源部１０は、外部電源１００から供給された電力を、警報器１の各部へと供給する。また、電源部１０は、外部電源１００からの交流電力を直流に変換する機能も備えている。
【００３３】
予備電源部１１は、自己保有する電力を供給する電源である。予備電源部１１としては、バッテリといった二次電池や、一次電池等を用いることができる。
【００３４】
停電検知部１２は、外部電源１００からの電力供給が遮断されたことを検知する。外部電源１００からの電力供給が遮断される状況としては、主として停電が挙げられる。停電検知部１２としては、例えばトランジスタ、フォトカプラー、リレー等を用いることができる。停電検知部１２は、マイコン３の入力ポートと接続されており、検知結果に応じた状態信号を出力する。マイコン３は、入力ポートの状態変化（Ｈｉｇｈ状態、Ｌｏｗ状態）に応じて、外部電源１００からの電力供給の遮断の有無を判断することができる。
【００３５】
外部電源１００からの電力供給がある場合には、警報器１の各部への電力は電源部１０（外部電源１００）から供給される。一方、外部電源１００からの電力供給が遮断されると、停電検知部１２により警報器１の電源の切り替えが行われる。この切り替えにより、警報器１の各部への電力は予備電源部１１から供給される。また、外部電源１００からの電力供給が復旧すると、停電検知部１２により警報器１の電源の切り替えが行われる。この切り替えにより、警報器１の各部への電力は電源部１０から供給される。
【００３６】
なお、予備電源部１１が保有する電力は有限であるため、予備電源部１１から電力供給を行う場合には、電力の供給先が制限されている。具体的には、後述する非常灯機能を実現するために必要な箇所にのみ電力が限定的に供給され、電力消費の大きなガスセンサ２には電力が供給されないように構成されている。
【００３７】
照度センサ１３は、明るさを検出するセンサである。照度センサ１３は、警報器１周囲の明るさを検出し、その明るさに応じた検出信号をマイコン３に出力する。
【００３８】
警報器１を構成する上述の要素は、図示しない基板上に実装され、ケース本体２０内に収容されている。ケース本体２０は、警報器１を構成する各種の部品を収容する筐体であり、例えば合成樹脂により成形されている。警報器１を壁面Ｗに設置する場合には、ケース本体２０の背面２０ｂが壁面Ｗと向き合うように取り付けられる。
【００３９】
ケース本体２０の正面２０ａには、スピーカ開口部２１、操作部２２、表示窓部２３、ガス検知部２４、検知窓部２５が設けられている。
【００４０】
スピーカ開口部２１は、スピーカ５からの音又は音声をケース本体２０の外部へ出力する開口部である。スピーカ開口部２１は、例えばケース本体２０を貫通する複数の小孔で構成されており、ケース本体２０に収容されたスピーカ５の正面位置に形成されている。
【００４１】
操作部２２は、利用者の押圧操作を通じてスイッチ８の操作を行うものである。具体的には、操作部２２は、ケース本体２０に収容されたスイッチ８の正面位置に形成されており、所要の範囲が変位可能に構成されている。利用者は、操作部２２を押圧操作し、当該操作部２２を変位させることで、スイッチ８を操作することができる。
【００４２】
表示窓部２３は、複数のＬＥＤ４からの光をケース本体２０の外部へ出力する部位である。表示窓部２３は、ケース本体２０の一部を所要の形状に切り抜いた開口で構成されており、ケース本体２０に収容された複数のＬＥＤ４の正面位置に形成されている。表示窓部２３をなす開口には、当該開口を閉塞する透明又は半透明なプレートが配設されている。
【００４３】
ガス検知部２４は、ケース本体２０の正面２０ａの右上に配置されている。ガス検知部２４は、当該ケース本体２０の内外を貫通する複数のスリットから構成されており、周囲の雰囲気が警報器１の内部（センサ室）に流入するための開口部である。ガス検知部２４は、ガスセンサ２を含むようにケース本体２０内に画定された空間であるセンサ室と対応する位置に形成されている。
【００４４】
検知窓部２５は、ケース本体２０に収容された照度センサ１３に警報器１の周囲の光を導く部位である。検知窓部２５は、ケース本体２０の一部を所要の形状に切り抜いた開口で構成されており、ケース本体２０に収容された照度センサ１３の正面位置に形成されている。検知窓部２５をなす開口には、当該開口を閉塞する透明又は半透明なプレートが配設されている。
【００４５】
また、ケース本体２０の背面２０ｂには、上述の差込プラグ９が設けられている。差込プラグ９は、ケース本体２０に一体的に取り付けられたコードレス型のものである。差込プラグ９は、壁面Ｗのプラグ受け１０１に差し込まれる場合にのみ、ケース本体２０の背面２０ｂから突出するように、ケース本体２０に対して収納可能に構成されている。
【００４６】
以下、本実施形態の特徴の一つである警報器１の非常灯機能について説明する。警報器１の非常灯機能は、マイコン３の停電処理部３Ｃにより実行される。ここで、図４は、本実施形態に係る警報器１の非常灯機能について説明する説明図である。
【００４７】
まず、外部電源１００から電力が供給されている場合、警報器１の通電状態を報知するために、停電処理部３Ｃは、ＬＥＤ駆動部６を制御して、緑色ＬＥＤ４Ｇを点灯している。
【００４８】
停電の発生により外部電源１００からの電力供給が遮断されると、停電検知部１２により電源の切り替えが行われる。この切り替えにより、予備電源部１１から警報器１の各部へと電力が供給される。
【００４９】
停電処理部３Ｃは、入力ポートの状態を監視することで、その状態変化から、外部電源１００からの電力供給が遮断されたことを判断することができる。停電処理部３Ｃは、外部電源１００からの電力供給が遮断されたことを判断すると、ＬＥＤ駆動部６を制御して、緑色ＬＥＤ４Ｇを消灯させるとともに、白色ＬＥＤ４Ｗを点灯させる。上述したように、外部電源１００からの電力供給が遮断された場合には、警報器１の電源が電源部１０（外部電源１００）から予備電源部１１に切り替わっているので、白色ＬＥＤ４Ｗは、予備電源部１１からの電力により点灯する。すなわち、この白色ＬＥＤ４Ｗの点灯により、非常灯機能が動作することとなる。
【００５０】
また、本実施形態において、停電処理部３Ｃは、白色ＬＥＤ４Ｗを点灯させる場合に、外部電源１００からの電力供給が遮断されたことを報知する。報知の方法としては、スピーカ５による音声報知であり、例えば「停電が起こりました。」といった音声を出力するといった如くである。
【００５１】
また、警報器１の電源が予備電源部１１に切り替わった場合、ガスセンサ２には電力が供給されない状態となる。このため、ガスセンサ２（検出処理部３Ａ）によるガス漏れ検知も行われない。そこで、停電処理部３Ｃは、ガスセンサ２によるガス漏れ検知が無効であることをさらに報知してもよい。報知の方法としては、スピーカ５による音声報知であり、例えば「停電が起こりましたのでガス漏れを検知することができません。」といった音声を出力するといった如くである。
【００５２】
一方、外部電源１００からの電力供給が復旧すると、停電検知部１２により、警報器１の電源が電源部１０（外部電源１００）へと切り替えられる。また、停電処理部３Ｃは、入力ポートの状態を監視することで、その状態変化から、外部電源１００からの電力供給が復旧したことを判断することができる。外部電源１００からの電力供給が復旧した場合、停電処理部３Ｃは、外部電源１００からの電力供給が復旧したことを報知する。報知の方法としては、スピーカ５による音声報知であり、例えば「電気が復旧しました。」といった音声を出力するといった如くである。加えて、停電処理部３Ｃは、ＬＥＤ駆動部６を制御して、白色ＬＥＤ４Ｗを消灯させるとともに、緑色ＬＥＤ４Ｇを点灯させる。これにより、外部電源１００による通電の再開を視覚的に認識させることができる。
【００５３】
また、停電処理部３Ｃは、予備電源部１１の電圧を監視することができる。そして、停電処理部３Ｃは、予備電源部１１による電力供給が開始されてから外部電源１００による電力供給が復旧するまでの間、予備電源部１１の電圧が、電圧の低下を判断するための下限判定電圧に到達したか否かを判断する。予備電源部１１の電圧の低下が判断された場合（すなわち、予備電源部１１の電圧≦下限判定電圧の関係が成立する場合）、停電処理部３Ｃは、白色ＬＥＤ４Ｗの消灯が近いことを報知する。報知の方法としては、スピーカ５による音声報知であり、例えば「非常灯のランプがもうすぐ消えます。」といった音声を出力するといった如くである。なお、予備電源部１１の電圧低下の判断は、停電処理部３Ｃが行う以外にも、停電検知部１２が行い、その判断結果を停電処理部３Ｃに通知するものであってもよい。
【００５４】
また、警報器１の非常灯機能は、上述した基本機能に加え、以下に示す付加的な機能を備えることができる。
【００５５】
まず、本実施形態の警報器１において、複数のＬＥＤ４は、ＬＥＤ駆動部６からの駆動電流に応じて、明るさレベルを多段階で切り替えることができる。この場合において、停電処理部３Ｃは、予備電源部１１からの電力により白色ＬＥＤ４Ｗを点灯させるにあたり、切り替え可能な明るさレベルのうち最高の明るさレベル（最も明るいレベル）で白色ＬＥＤ４Ｗを点灯してもよい。なお、白色ＬＥＤ４Ｗを複数設ける構成にあっては、駆動電流はそのままで、駆動電流を供給する白色ＬＥＤ４Ｗを選択することで明るさレベルを調整してもよい。
【００５６】
警報器１に対して外部電源１００から電力が供給されている場合、警報器１の通電状態を利用者に把握させるために、マイコン３（例えば停電処理部３Ｃ）は、ＬＥＤ駆動部６を制御して、緑色ＬＥＤ４Ｇは点灯している。この通電状態を示す緑色ＬＥＤ４Ｇの点灯では、最高の明るさレベルよりも低いレベルが選択されている。したがって、非常灯としての白色ＬＥＤ４Ｗは、通常時よりも、すなわち、外部電源１００からの電力が供給されているときよりも明るい状態で点灯することとなる。
【００５７】
上述したように、白色ＬＥＤ４Ｗの初期的な点灯は、最高の明るさレベルで行われる。そこで、停電処理部３Ｃは、白色ＬＥＤ４Ｗが点灯した状態でスイッチ８が操作された場合に、白色ＬＥＤ４Ｗの明るさレベルを切り替えてもよい。具体的には、停電処理部３Ｃは、スイッチ８の操作を判断すると、ＬＥＤ駆動部６を制御して、１段階だけ低い明るさレベルで白色ＬＥＤ４Ｗを点灯させる。また、停電処理部３Ｃは、スイッチ８が操作される度に、白色ＬＥＤ４Ｗの明るさレベルを順次下げていく。そして、最低の明るさレベルにおいてスイッチ８が操作されると、白色ＬＥＤ４Ｗの明るさレベルが最高のレベルに復旧する。
【００５８】
なお、スイッチ８の操作の度に、明るさレベルが低くなるような切り替え方法について説明した。しかしながら、明るさレベルの切り替えは、スイッチ８の操作の度に明るさレベルが高くなるような切り替えであってもよい。また、スイッチ８の操作に応じて好みの明るさレベルを選択できるものであってもよい。
【００５９】
また、本実施形態に係る警報器１は、照度センサ１３を備えている。そこで、停電処理部３Ｃは、外部電源１００からの電力供給が遮断され、かつ、警報器１の周囲が暗いと判断される場合に、白色ＬＥＤ４Ｗを点灯させてもよい。具体的には、外部電源１００からの電力供給が遮断されたことを判断すると、停電処理部３Ｃは、照度センサ１３からの検出信号を読み込む。そして、停電処理部３Ｃは、この検出信号と、明暗を切り分けるための所定の判定値とを比較して、警報器１の周囲が暗いか否かを判断するといった如くである。
【００６０】
この場合、白色ＬＥＤ４Ｗを点灯させる際に、外部電源１００からの電力供給が遮断されたことを報知する。報知の方法としては、スピーカ５による音声報知であり、例えば「停電が発生しています。」といった音声を出力するといった如くである。これにより、なぜ非常灯が点灯したのかを利用者が把握することができる。
【００６１】
もっとも、警報器１の周囲が十分に明るい状況にあっては、外部電源１００からの電力供給が遮断されるタイミングと、白色ＬＥＤ４Ｗを点灯させるタイミングとが相違する。この場合、停電検知部１２は、外部電源１００からの電力供給の遮断が検知された際に、所定の報知を行ってもよい。報知の方法としては、スピーカ５による音声報知であり、例えば「停電が起きました。周囲が暗くなると非常灯が点灯します。」といった音声を出力するといった如くである。これにより、周囲が暗くなると非常灯が点灯することを利用者が把握することができる。
【００６２】
このように、本実施形態に係る停電処理部３Ｃは、外部電源１００からの電力供給の遮断が検知された後に、外部電源１００からの電力供給が遮断されたことを報知すればよい。
【００６３】
また、本実施形態に係る停電処理部３Ｃは、外部電源１００からの電力供給が遮断されたこと、すなわち、非常灯機能が動作する要因を報知している。しかしながら、「非常灯が点灯しました。」といったように、非常灯機能が動作する態様そのものを報知するものであってもよい。すなわち、本実施形態に係る停電処理部３Ｃは、停電検知部１２により外部電源１００からの電力供給の遮断が検知された後に、非常灯機能の情報を報知すればよい。これにより、警報器１の点灯と非常灯機能とを結び付けることができるので、なぜ警報器１が点灯したのかを利用者が把握することができる。
【００６４】
特に、非常灯機能が動作する態様そのものを報知する場合には、（１）外部電源１００からの電力供給の遮断の検知に併せて白色ＬＥＤ４Ｗを点灯させる際に、或いは、（２）照度センサ１３を参照する場合には、外部電源１００からの電力供給の遮断が検知された後、警報器１の周囲が暗いと判断して白色ＬＥＤ４Ｗを点灯させる際に行うことが好ましい。
【００６５】
このように本実施形態の警報器１によれば、予備電源部１１と停電検知部１２とを搭載しているため、非常時にＬＥＤ４が点灯する非常灯機能を警報器１に持たせることができる。
【００６６】
また、本実施形態の警報器１によれば、非常灯機能の情報が報知されるので、なぜ警報器１が点灯したかを判断することができる。これにより、利用者にとって違和感の少ない非常灯機能を提供することができる。
【００６７】
また、本実施形態によれば、ガスセンサ２によるガス漏れ検知が無効であることが報知される。電力消費を抑制するために、予備電源部１１の電力は、非常灯機能に必要なものに限定的に供給され、ガスセンサ２には供給されていない。このため、ガスセンサ２によるガス漏れ検知も行われない。しかしながら、警報器１が非常灯として点灯している状態にあっては、警報器１が正常に動作していると利用者が錯覚し、ガス漏れ検知が無効となっていることに気付かない可能性がある。この点、本実施形態の警報器１によれば、ガス漏れ検知が無効となっていることを利用者に対して適切に認識させることができる。
【００６８】
また、本実施形態によれば、外部電源１００からの電力供給の復旧が報知されるので、警報器１が通常通り機能していることを、利用者に対して適切に認識させることができる。
【００６９】
また、本実施形態によれば、予備電源部１１の電圧の低下が判断された場合には、白色ＬＥＤ４Ｗの消灯が近いことが報知される。この報知により、利用者に対して白色ＬＥＤ４Ｗの消灯を予期させることができるので、白色ＬＥＤ４Ｗが唐突に消灯してしまうといった事態を防ぐことができる。これにより、利用者の停電による不安感を低減させることができる。
【００７０】
また、本実施形態によれば、スイッチ８の操作を通じて、非常灯としての白色ＬＥＤ４Ｗの明るさを切り替えることができる。これにより、非常時の明るさを利用者が任意に調整することができるので、利用者にとって使い勝手のよい警報器１を提供することができる。
【００７１】
また、本実施形態によれば、切り替え可能な明るさレベルのうち最高の明るさレベルで点灯が行われるので、警報器１の周囲を広範囲に照らすことができる。これにより、非常時の明かりを適切な範囲で得ることができる。
【００７２】
また、本実施形態によれば、警報器１の周囲が暗い場合に点灯が行われる。これにより、日中といったように、電力の遮断時に明かりが必要ない状況であっても警報器１が点灯してしまうという事態を抑制することができる。
【００７３】
また、本実施形態によれば、差込プラグ９がケース本体２０と一体化されたコードレス型となっている。このため、警報器１をプラグ受け１０１から外してもコードが邪魔にならず、警報器１を自由に携行することができる。これにより、非常灯として警報器１を有効に活用することができる。
【００７４】
また、停電処理部３Ｃは、外部電源１００から電力供給が行われている状態において、照度センサ１３からの検出信号を参照し、以下に示す制御を行ってもよい。具体的には、停電処理部３Ｃは、警報器１の周囲が暗いと判断されてから、警報器１の周囲が明るくなったと判断されるまでの間、ＬＥＤ駆動部６を制御して、緑色ＬＥＤ４Ｇの点灯と併せて白色ＬＥＤ４Ｗを点灯させてもよい。すなわち、白色ＬＥＤ４Ｗは、警報器１の周囲が暗い場合に、警報器１の周囲を照明する常夜灯として点灯される。これにより、警報器１を常夜灯としても機能させることができる。
【００７５】
また、白色ＬＥＤ４Ｗを常夜灯として点灯させる場合、停電処理部３Ｃは、スイッチ８の操作に応じて、白色ＬＥＤ４Ｗの明るさレベルを切り替えてもよい。これにより、利用者の好みに応じた適切な明るさで常夜灯を実現することができる。
【００７６】
また、本実施形態においては、外部電源１００から電力が供給されている場合に、緑色ＬＥＤ４Ｇが点灯し、外部電源１００からの電力供給が遮断されている場合に、緑色ＬＥＤ４Ｇが消灯する。ガスセンサ２への電力供給は、外部電源１００から行われるため、外部電源１００からの電力供給が遮断された場合には、ガスセンサ２への電力供給も停止する。この場合、ガスセンサ２によるガス漏れ検知は無効となる。すなわち、停電処理部３Ｃは、ガスセンサ２によるガス漏れ検知が有効である場合に緑色ＬＥＤ４Ｇを点灯させ、ガスセンサ２によるガス漏れ検知が無効である場合に緑色ＬＥＤ４Ｇを消灯させる点灯処理部としての機能を備えている。
【００７７】
この構成によれば、ガス漏れ検知が無効となった場合に、緑色ＬＥＤ４Ｇが消灯することとなる。これにより、緑色ＬＥＤ４Ｇの状態から、ガス漏れ検知が無効であるのか、それとも有効であるのかを視覚的に判断することができる。特に本実施形態においては、ガス漏れ検知が無効な状態と、外部電源１００からの電力供給が遮断された状態とが同期している。そのため、緑色ＬＥＤ４Ｇの状態から、外部電源１００から電力が供給されているのか、それとも電力供給が遮断されているのかも視覚的に判断することができる。これにより、利用者に対して警報器１の状態を適切に周知させることができる。
【００７８】
ところで、上述したように、警報器１は、非常灯機能のみならず、常夜灯機能も付加することができる。常夜灯機能付きの警報器１であれば、外部電源１００からの電力供給が遮断されていなくても、周囲の明るさに応じて白色ＬＥＤ４Ｗが点灯する。この場合、常夜灯の点灯にあたっては、緑色ＬＥＤ４Ｇを消灯させ、白色ＬＥＤ４Ｗのみを点灯させることも考えられる。しかしながら、白色ＬＥＤ４Ｗのみが点灯した場合、利用者は、これが非常灯として点灯しているのか、それとも常夜灯として点灯しているのかを区別することが難しい。特に、非常灯として点灯する白色ＬＥＤ４Ｗの明るさレベルと、常夜灯として点灯する白色ＬＥＤ４Ｗの明るさレベルとが同じ又は近い場合には、明るさで両者を区別することができない。
【００７９】
この点、本実施形態では、ガス漏れ検知が有効である場合には、緑色ＬＥＤ４Ｇが点灯することとなる。したがって、常夜灯の点灯時には、白色ＬＥＤ４Ｗとともに緑色ＬＥＤ４Ｇも点灯し、一方で、非常灯の点灯時には、白色ＬＥＤ４Ｗのみが点灯することとなる。これにより、緑色ＬＥＤ４Ｇの状態から、白色ＬＥＤ４Ｗの点灯が非常灯によるものなのか、それとも常夜灯によるものなのかを容易に区別することができる。これにより、利用者に対して警報器１の状態を適切に周知させることができる。
【００８０】
なお、本実施形態では、非常灯機能を備える警報器１のみならず、非常灯機能及び常夜灯機能の双方を備える警報器１について説明した。しかしながら、ガスセンサ２によるガス漏れ検知が有効と無効とで切り替わる警報器１であれば、非常灯機能又は常夜灯機能の有無に拘わらず、上述した緑色ＬＥＤ４Ｇの点灯制御の手法を広く適用することができる。この場合、警報器１に搭載されるマイコン３において、点灯処理部の機能が実現されればよい。
【００８１】
また、本実施形態では、点灯を通じてガス漏れ検知が有効であることを報知する発光部として、緑色ＬＥＤ４Ｇを例示した。しかしながら、この発光部は、非常灯又は常夜灯として警報器１の周囲を照明する発光部（本実施形態では白色ＬＥＤ４Ｗ）と視覚的に区別できるのであれば、緑色以外の色で点灯するものであってもよい。
【００８２】
（第２の実施形態）
以下、第２の実施形態に係る警報器１について説明する。この第２の実施形態に係る警報器１が第１の実施形態に係る警報器１と相違する点は、外部電源１００からの電力供給が遮断されて予備電源部１１に切り替えられた場合であってもガス漏れ検知を継続することである。ここで、図５は、第２の実施形態に係る警報器１の構成を模式的に示すブロック図である。
【００８３】
本実施形態において、ガスセンサ２ａは、第１の実施形態に示すガスセンサ２と同様、ガスを検出するセンサである。このガスセンサ２ａには、予備電源部１１からの電力供給により一定期間に亘って駆動可能なセンサ、すなわち、消費電力の少ないセンサが採用されている。例えばＭＥＭＳタイプのガスセンサ及び電気化学式ガスセンサ等がこれに該当する。ＭＥＭＳタイプのガスセンサは、例えばメタン検出に利用することができ、電気化学式ガスセンサは、例えばＣＯ検出に利用することができる。
【００８４】
また、本実施形態では、予備電源部１１から電力供給を行う場合、この予備電源部１１からの電力の供給先は、非常灯機能を実現するために必要な範囲のみならず、ガスセンサ２ａを含む範囲ＥＡに対応している。また、停電処理部３Ｃは、図示しない切替手段を制御することで、予備電源部１１からの電力の供給先を、ガスセンサ２ａを含む範囲ＥＡから、ガスセンサ２ａを含まない範囲ＥＢへと切り替えることができる。
【００８５】
さらに、本実施形態において、緑色ＬＥＤ４Ｇは、ガスセンサ２に電力が供給されている場合に、ガスセンサ２の通電状態を報知するために点灯される。ガスセンサ２への電力供給は、外部電源１００から行われる場合及び予備電源部１１から行われる場合の双方を含む。ガスセンサ２は、電力が供給された状態においてガスの検出動作を行うことから、緑色ＬＥＤ４Ｇは、その点灯を通じて、ガスセンサ２によるガス漏れ検知が有効であることを報知する。
【００８６】
以下、本実施形態に係る警報器１の動作、具体的には、停電処理部３Ｃの動作について説明する。ここで、図６は、本実施形態に係る停電処理部３Ｃの動作を示すフローチャートである。このフローチャートに示す処理は、警報器１の電源投入後、すなわち、外部電源１００からの電力供給後（外部電源１００からの電力供給の復旧も含む）に実施される。
【００８７】
まず、ステップＳ１０において、停電処理部３Ｃは、警報器１の通電状態を報知するために、ＬＥＤ駆動部６を制御して、緑色ＬＥＤ４Ｇを点灯させる。
【００８８】
ステップＳ１１において、停電処理部３Ｃは、入力ポートの状態を監視して、停電検知部１２により外部電源１００からの電力供給の遮断が検知されたか否かを判断する。外部電源１００からの電力供給の遮断が検知された場合には、ステップＳ１１において肯定判定され、ステップＳ１２に進む。一方、外部電源１００からの電力供給の遮断が検知されていない場合には、ステップＳ１１において否定判定され、ステップＳ１１に戻る。
【００８９】
ステップＳ１２において、停電処理部３Ｃは、外部電源１００からの電力供給が遮断されたことを報知する。報知の方法としては、スピーカ５による音声報知であり、例えば「停電が起こりました。」といった音声を出力するといった如くである。
【００９０】
ステップＳ１３において、停電処理部３Ｃは、照度センサ１３からの検出信号を読み込む。そして、停電処理部３Ｃは、この検出信号と、明暗を切り分けるための所定の判定値とを比較して、警報器１の周囲が暗いか否かを判断する。警報器１の周囲が暗くない場合には、ステップＳ１３において否定判定され、ステップＳ１４に進む。一方、警報器１の周囲が暗い場合には、ステップＳ１３において肯定判定され、ステップＳ２１に進む。
【００９１】
ステップＳ１４において、停電処理部３Ｃは、予備電源部１１の電圧が、電圧の低下を判断するための下限判定電圧に到達したか否かを判断する。予備電源部１１の電圧の低下が判断された場合（すなわち、予備電源部１１の電圧≦下限判定電圧の関係が成立する場合）には、ステップＳ１４において肯定判定され、ステップＳ１５に進む。一方、予備電源部１１の電圧の低下が判断されない場合（すなわち、予備電源部１１の電圧＞下限判定電圧の関係が成立する場合）には、ステップＳ１４において否定判定され、ステップＳ１４に戻る。
【００９２】
ステップＳ１５において、停電処理部３Ｃは、ガスセンサ２ａへの電力供給を停止する。具体的には、停電処理部３Ｃは、予備電源部１１からの電力の供給先を、ガスセンサ２ａを含まない範囲ＥＢへと切り替える。
【００９３】
ステップＳ１６において、停電処理部３Ｃは、ガスセンサ２ａによるガス漏れ検知が無効であることを報知する。報知の方法としては、スピーカ５による音声報知であり、例えば「ガス漏れ検知を停止しました。」といった音声を出力するといった如くである。
【００９４】
ステップＳ１７において、停電処理部３Ｃは、ＬＥＤ駆動部６を制御して、緑色ＬＥＤ４Ｇを消灯させる。
【００９５】
ステップＳ１８において、停電処理部３Ｃは、入力ポートの状態を監視して、停電検知部１２により外部電源１００からの電力供給の復旧が検知されたか否かを判断する。外部電源１００からの電力供給の復旧が検知された場合には、ステップＳ１８において肯定判定され、ステップＳ１９に進む。一方、外部電源１００からの電力供給の復旧が検知されていない場合には、ステップＳ１８において否定判定され、ステップＳ１８に戻る。
【００９６】
ステップＳ１９において、停電処理部３Ｃは、外部電源１００からの電力供給が復旧したことを報知する。報知の方法としては、スピーカ５による音声報知であり、例えば「電気が復旧しました。」といった音声を出力するといった如くである。そして、報知が終了すると、ステップＳ１０の処理に戻る（ＲＥＴＵＲＮ）。
【００９７】
一方、ステップＳ２１において、停電処理部３Ｃは、ＬＥＤ駆動部６を制御して、白色ＬＥＤ４Ｗを点灯させる。
【００９８】
ステップＳ２２において、停電処理部３Ｃは、スイッチ８が操作されたか否かを判断する。スイッチ８が操作された場合には、ステップＳ２２において肯定判定され、ステップＳ２３に進む。一方、スイッチ８が操作されない場合には、ステップＳ２２において否定判定され、ステップＳ２４に進む。
【００９９】
ステップＳ２３において、停電処理部３Ｃは、ＬＥＤ駆動部６を制御して、白色ＬＥＤ４Ｗを消灯させる。
【０１００】
ステップＳ２４において、停電処理部３Ｃは、予備電源部１１の電圧が下限判定電圧に到達したか否かを判断する。予備電源部１１の電圧の低下が判断された場合には、ステップＳ２４において肯定判定され、ステップＳ２５に進む。一方、予備電源部１１の電圧の低下が判断されない場合には、ステップＳ２４において否定判定され、ステップＳ２２に戻る。
【０１０１】
ステップＳ２５において、停電処理部３Ｃは、ガスセンサ２ａへの電力供給を停止する。具体的には、停電処理部３Ｃは、予備電源部１１からの電力の供給先を、ガスセンサ２ａを含まない範囲ＥＢへと切り替える。
【０１０２】
ステップＳ２６において、停電処理部３Ｃは、ガスセンサ２ａによるガス漏れ検知が無効であることを報知する。報知の方法としては、スピーカ５による音声報知であり、例えば「ガス漏れ検知を停止しました。」といった音声を出力するといった如くである。
【０１０３】
ステップＳ２７において、停電処理部３Ｃは、ＬＥＤ駆動部６を制御して、緑色ＬＥＤ４Ｇを消灯させる。
【０１０４】
このように本実施形態において、ガスセンサ２ａは、予備電源部１１からの電力供給により一定期間に亘って駆動可能な低消費電力型のセンサである。そして、外部電源１００からの電力供給の遮断が検知された場合、予備電源部１１からの電力は、ガスセンサ２ａに対して供給される。
【０１０５】
外部電源１００から供給される電力で駆動する警報器１にあっては、ガスセンサ２ａとして、消費電力の大きいセンサを利用することもできる。ただし、予備電源部１１の電力は有限であることから、消費電力の大きいセンサを利用した場合には、外部電源１００からの電力供給が遮断された際に、当該センサへの電力供給を停止する必要がある。この場合、緑色ＬＥＤ４Ｇを消灯させることで、ガス漏れ検知が無効であることを報知し、その上で、非常灯としての白色ＬＥＤ４Ｗを点灯させることとなる。しかしながら、このような動作を利用者が把握していなければ、警報器１の非常灯が点灯しているから、ガス漏れ検知も当然に有効であると考えてしまう可能性がある。
【０１０６】
この点、本実施形態によれば、ガスセンサ２ａに消費電力の小さなセンサを採用しているので、予備電源部１１から供給される電力によりガスセンサ２ａを駆動することができる。その結果、予備電源部１１から電力供給がされる期間においてもガス漏れ検知を実施することができる。これにより、利用者にとって使い勝手のよい警報器１を提供することができる。
【０１０７】
また、本実施形態では、停電処理部３Ｃは、外部電源１００からの電力供給が遮断され、かつ、照度センサ１３の検出結果に応じて周囲が暗いと判断した場合に、予備電源部１１からの電力により白色ＬＥＤ４Ｗを点灯させている。
【０１０８】
この構成によれば、警報器１の周囲が明るい状況では非常灯機能が働かないので、予備電源部１１の電力を有効に利用することができる。これにより、外部電源１００の遮断時におけるガス漏れ検知を有効に実施することができる。
【０１０９】
また、本実施形態において、停電処理部３Ｃは、白色ＬＥＤ４Ｗを点灯した後、警報器１を操作するためのスイッチ８が操作された場合に、白色ＬＥＤ４Ｗを消灯へと切り替えている。
【０１１０】
本実施形態においては、ガス漏れ検知機能と、非常灯機能とが重畳して動作することがあるが、スイッチ８を操作することで、利用者の意思で非常灯機能を無効とすることができる。これにより、予備電源部１１に対する消費電力を抑えた上で、ガス漏れ検知を実行することができる。
【０１１１】
また、本実施形態では、停電処理部３Ｃは、予備電源部１１の電圧が、電圧の低下を判断するための下限判定電圧に到達したか否かを判断している。そして、予備電源部１１の電圧の低下が判断された場合（すなわち、予備電源部１１の電圧≦下限判定電圧の関係が成立する場合）、停電処理部３Ｃは、ガスセンサ２ａへの電力供給を停止するとともに、ガス漏れ検知が無効であることを報知している（具体的には、音声報知及び緑色ＬＥＤ４Ｇの消灯）。
【０１１２】
この構成によれば、ガス漏れ検知が機能していないことを、利用者に周知させることができる。
【０１１３】
また、本実施形態においては、外部電源１００又は予備電源部１１からガスセンサ２ａに電力が供給されている場合に、緑色ＬＥＤ４Ｇが点灯し、外部電源１００又は予備電源部１１からガスセンサ２ａへの電力供給が遮断されている場合に、緑色ＬＥＤ４Ｇが消灯する。ガスセンサ２ａに電力が供給されない状態にあっては、ガスセンサ２ａによるガス漏れ検知は無効となる。すなわち、停電処理部３Ｃは、ガスセンサ２ａによるガス漏れ検知が有効である場合に緑色ＬＥＤ４Ｇを点灯させ、ガスセンサ２ａによるガス漏れ検知が無効である場合に緑色ＬＥＤ４Ｇを消灯させる点灯処理部としての機能を備えている。
【０１１４】
この構成によれば、外部電源１００からの電力供給が遮断され、ガス漏れ検知が無効となった場合には、緑色ＬＥＤ４Ｇが消灯することとなる。したがって、緑色ＬＥＤ４Ｇの状態から、ガス漏れ検知が無効であるのか、それとも有効であるのかを視覚的に判断することができる。
【０１１５】
（第３の実施形態）
以下、第３の実施形態に係る警報器１について説明する。この第３の実施形態に係る警報器１が第１の実施形態に係る警報器１と相違する点は、予備電源部１１の電池切れの確認を行うことである。なお、以下の説明において、予備電源部１１は一次電池であることを前提とする。そして、一次電池である予備電源部１１は、電池切れに備えて交換可能に構成されている。
【０１１６】
また、警報器１は、警報器１の機能を点検する点検機能を備えている。この点検機能には、初期点検と機能点検とが含まれ、初期点検は、警報器１の電源投入後に実行され、機能点検は、ガス漏れ検知の実行中にスイッチ８が操作されたことをトリガーとして実行される。点検機能は、ＬＥＤ駆動部６及びスピーカ駆動部７が正常に動作するかを点検するものであり、実際にスピーカ駆動部７を通じてスピーカ５を駆動させたり、ＬＥＤ駆動部６を通じて複数のＬＥＤ４を点灯させたりする。この点検機能は、警報処理部３Ｂによって実行される。
【０１１７】
図７は、本実施形態に係る停電処理部３Ｃの動作を示すフローチャートである。このフローチャートに示す処理は、警報器１の電源投入後、すなわち、外部電源１００からの電力供給後（外部電源１００からの電力供給の復旧も含む）に実施される。
【０１１８】
まず、ステップＳ３０において、停電処理部３Ｃは、警報器１の通電状態を報知するために、ＬＥＤ駆動部６を制御して、緑色ＬＥＤ４Ｇを点灯させる。
【０１１９】
ステップＳ３１において、停電処理部３Ｃは、警報処理部３Ｂの初期点検の実施中に、電池チェックを行う。電池チェックは、予備電源部１１の電圧監視を行い、予備電源部１１の電圧が電池切れを判断するための電池切れ電圧に到達したか否かを判断するものである。
【０１２０】
ステップＳ３２において、停電処理部３Ｃは、電池チェックの結果に基づいて、一次電池である予備電源部１１が電池切れであるか否かを判断する。予備電源部１１が電池切れの場合（すなわち、予備電源部１１の電圧≦電池切れ電圧の関係が成立する場合）には、ステップＳ３２において肯定判定され、ステップＳ３３に進む。一方、予備電源部１１が電池切れではない場合（すなわち、予備電源部１１の電圧＞電池切れ電圧の関係が成立する場合）には、ステップＳ３２において否定判定され、ステップＳ３４に進む。
【０１２１】
ステップＳ３３において、停電処理部３Ｃは、電池切れを報知する。報知のタイミングは、例えば警報処理部３Ｂの初期点検の終了後である。報知の方法としては、スピーカ５による音声報知であり、例えば「新しい電池を入れて下さい。」といった音声を出力するといった如くである。
【０１２２】
ステップＳ３４において、停電処理部３Ｃは、機能点検のためにスイッチ８が操作されたか否かを判断する。初期点検の終了後、すなわち、ガス漏れ検知の実行中にスイッチ８が操作されると、これは機能点検の操作に該当するため、ステップＳ３４において肯定判定され、ステップＳ３５に進む。一方、スイッチ８が操作されない場合には、ステップＳ３４において否定判定され、ステップＳ３８に進む。
【０１２３】
ステップＳ３５において、停電処理部３Ｃは、警報処理部３Ｂの機能点検の実施後に、電池チェックを行う。電池チェックは、予備電源部１１の電圧監視を行い、予備電源部１１の電圧が電池切れを判断するための電池切れ電圧に到達したか否かを判断するものである。
【０１２４】
ステップＳ３６において、停電処理部３Ｃは、電池チェックの結果に基づいて、一次電池である予備電源部１１が電池切れか否かを判断する。予備電源部１１が電池切れの場合（すなわち、予備電源部１１の電圧≦電池切れ電圧の関係が成立する場合）には、ステップＳ３６において肯定判定され、ステップＳ３７に進む。一方、予備電源部１１が電池切れではない場合（すなわち、予備電源部１１の電圧＞電池切れ電圧の関係が成立する場合）には、ステップＳ３６において否定判定され、ステップＳ３８に進む。
【０１２５】
ステップＳ３７において、停電処理部３Ｃは、電池切れを報知する。報知の方法としては、スピーカ５による音声報知であり、例えば「新しい電池を入れて下さい。」といった音声を出力するといった如くである。
【０１２６】
ステップＳ３８において、停電処理部３Ｃは、入力ポートの状態を監視して、停電検知部１２により外部電源１００からの電力供給の遮断が検知されたか否かを判断する。外部電源１００からの電力供給の遮断が検知された場合には、ステップＳ３８において肯定判定され、ステップＳ３９に進む。一方、外部電源１００からの電力供給の遮断が検知されていない場合には、ステップＳ３８において否定判定され、ステップＳ３４に戻る。
【０１２７】
ステップＳ３９において、停電処理部３Ｃは、外部電源１００からの電力供給が遮断されたことを報知する。報知の方法としては、スピーカ５による音声報知であり、例えば「停電が起こりました。」といった音声を出力するといった如くである。
【０１２８】
ステップＳ４０において、停電処理部３Ｃは、ガスセンサ２への電力供給を停止する。
【０１２９】
ステップＳ４１において、停電処理部３Ｃは、ガスセンサ２によるガス漏れ検知が無効であることを報知する。報知の方法としては、スピーカ５による音声報知であり、例えば「ガス漏れ検知を停止しました。」といった音声を出力するといった如くである。
【０１３０】
ステップＳ４２において、停電処理部３Ｃは、ＬＥＤ駆動部６を制御して、緑色ＬＥＤ４Ｇを消灯させる。
【０１３１】
ステップＳ４３において、停電処理部３Ｃは、照度センサ１３からの検出信号を読み込む。そして、停電処理部３Ｃは、この検出信号と、明暗を切り分けるための所定の判定値とを比較して、警報器１の周囲が暗いか否かを判断する。警報器１の周囲が暗くない場合には、ステップＳ４３において否定判定され、ステップＳ４５に進む。一方、警報器１の周囲が暗い場合には、ステップＳ４３において肯定判定され、ステップＳ４４に進む。
【０１３２】
ステップＳ４４において、停電処理部３Ｃは、ＬＥＤ駆動部６を制御して、白色ＬＥＤ４Ｗを点灯させる。
【０１３３】
ステップＳ４５において、停電処理部３Ｃは、入力ポートの状態を監視して、停電検知部１２により外部電源１００からの電力供給の復旧が検知されたか否かを判断する。外部電源１００からの電力供給の復旧が検知された場合には、ステップＳ４５において肯定判定され、ステップＳ４６に進む。一方、外部電源１００からの電力供給の復旧が検知されていない場合には、ステップＳ４５において否定判定され、ステップＳ４５に戻る。
【０１３４】
ステップＳ４６において、停電処理部３Ｃは、外部電源１００からの電力供給が復旧したことを報知する。報知の方法としては、スピーカ５による音声報知であり、例えば「電気が復旧しました。」といった音声を出力するといった如くである。そして、報知が終了すると、ステップＳ３０の処理に戻る（ＲＥＴＵＲＮ）。
【０１３５】
このように本実施形態によれば、停電処理部３Ｃは、電源投入に伴い実施される初期点検に併せて、予備電源部１１が電池切れであるか否かを判断し、当該予備電源部１１が電池切れの場合には電池切れを報知している。
【０１３６】
本実施形態に係る警報器１は、通常時（ガス漏れ検知の実行時）には外部電源１００から供給される電力で駆動するものであるが、外部電源１００が遮断された場合には予備電源部１１（一次電池）で非常灯を駆動する構成となっている。予備電源部１１及び非常灯機能は警報器１の本来の機能（ガス漏れ検知機能）ではないため、当該ガス漏れ検知機能に影響しないように設計されている。そのため、予備電源部１１の電池切れを報知する構成とはなっていない。したがって、予備電源部１１の電圧が低下しても、その情報を利用者に報知することができないため、利用者が電池切れを認識することができない。そして、予備電源部１１を交換することができないため、停電発生時に非常灯機能を使用することができない可能性がある。また、電池切れの報知を行う構成とした場合であっても、通常時に電池切れの報知を行ってしまうと、ガス漏れ検知機能は正常であるにもかかわらず、警報器１に異常が生じていると利用者が判断してしまい、ガス事業者への通報につながる虞がある。
【０１３７】
この点、本実施形態によれば、通常の使用状態では電池切れの報知を出さずに、電源投入に伴い実施される初期点検に併せて、電池切れの判断及び電池切れの報知を行っている。これにより、警報器１が異常であると誤解させることなく、電池切れを適切に周知することができる。その結果、停電が発生した際に、電池切れで非常灯が点灯しないといった事態を抑制することができる。
【０１３８】
また、本実施形態において、停電処理部３Ｃは、ガスセンサ２よるガス漏れ検知が有効である場合においてスイッチ８が操作されることで実施される機能点検に併せて、予備電源部１１が電池切れであるか否かを判断し、当該予備電源部１１が電池切れの場合には電池切れを報知している。
【０１３９】
この構成によれば、通常の使用状態では電池切れの報知を出さずに、スイッチ８により機能点検を行った場合に電池切れの報知を行っている。これにより、警報器１が異常であると誤解することなく、電池切れを適切に周知することができる。その結果、停電が発生した際に、電池切れで非常灯が点灯しないといった事態を抑制することができる。
【０１４０】
以上、本実施形態に係る警報器について説明したが、本発明はこの実施形態に限定されることなく、その発明の範囲において種々の変更が可能であることは言うまでもない。
【０１４１】
例えば、警報器は、ガス漏れについて警報する以外にも、火災、燃焼器具の不完全燃焼（一酸化炭素（ＣＯ）の発生）等の各種の異常状態を警報するものであってもよい。
【０１４２】
また、本実施形態では、非常灯機能を実現する上でマイコンを動作させているが、予備電源部の電力をマイコンに供給せずに、回路等を用いて非常灯機能の全部又は一部を実現してもよい。
【０１４３】
また、本実施形態では、表示警報を行う発光部（ＬＥＤ）を非常灯として機能させているが、専用の発光部を搭載してもよい。もっとも、表示警報を行う発光部を非常灯として流用することで、部品点数の削減、製品コストの削減を図ることができる。
【０１４４】
なお、本実施形態は、外部電源から電力供給が遮断されたことを報知する方法として、音声による方法を例示したが、表示を含むその他の報知方法であってもよい。
【符号の説明】
【０１４５】
１        警報器
２，２ａ        ガスセンサ（監視センサ）
３        マイコン
３Ａ      検出処理部
３Ｂ      警報処理部
３Ｃ      停電処理部
４        ＬＥＤ（発光部）
４Ｒ      赤色ＬＥＤ（発光部）
４Ｇ      緑色ＬＥＤ（発光部）
４Ｗ      白色ＬＥＤ（発光部）
５        スピーカ
６        ＬＥＤ駆動部
７        スピーカ駆動部
８        スイッチ
９        差込プラグ
１０        電源部
１１        予備電源部
１２        停電検知部
１３        照度センサ
２０        ケース本体
２１        スピーカ開口部
２２        操作部
２３        表示窓部
２４        ガス検知部
２５        検知窓部
１００        外部電源
１０１        プラグ受け
Ｗ        壁面
【図１】
2018181327.tif 000003
【図２】
2018181327.tif 000004
【図３】
2018181327.tif 000005
【図４】
2018181327.tif 000006
【図５】
2018181327.tif 000007
【図６】
2018181327.tif 000008
【図７】
2018181327.tif 000009